(57)【要約】      （修正有）【課題】簡単に使用できる鞄を提供する【解決手段】取手６、箱５、蓋４で構成され、蓋４の両側と箱５が接する部分を２本のファスナー２で接続し、２本のファスナー２の上下と接する箱５の４点の固定部を補強部で補強し、２本のファスナー２のスライダー２ａを取手６で接続した鞄を特徴とする。【選択図】図１
0003190461.tif 000002
【実用新案登録請求の範囲】
【請求項１】
取手（６）、箱（５）、蓋（４）で構成され、蓋（４）の両側と箱（５）が接する部分を２本のファスナー（２）で接続し、２本の該ファスナー（２）の上下と接する箱（５）の４点の固定部（３）を補強部（７）で補強し、２本の該ファスナー（２）のスライダー（２ａ）を該取手（６）で接続したことを特徴とする鞄
【請求項２】
前記箱（５）の底面に固定台（１０）を接続するための挿入部（８）と接続部（９）を備えたことを特徴とする請求項１記載の鞄
【考案の詳細な説明】
【技術分野】
【０００１】      この考案は、鞄に関するものである。
【背景技術】
【０００２】      日常で使用される小物（携帯、情報端末タブレット、財布等）は、普段鞄にいれて持ち運ばれている。しかし、手が不自由な人、片麻痺等で車椅子を利用している人は、鞄に複数の物が入ると必要なものを探すのに大変苦労している。そこで、特許文献１のように上記に対して鞄の中に小物を収納する複数の袋を固定出来る収納ホルダーを用いる物がある。
【先行技術文献】
【特許文献】
【０００３】
【特許文献１】  実用新案登録第３０８２０３５号
【考案の概要】
【考案が解決しようとする課題】
【０００４】      しかしながら、上記特許文献１の収納ホルダーは、必要な小物を取り出そうとする場合、鞄から収納ホルダーを取り出し、さらに小物入れから取り出さなければならない。（２回取り出す動作がある。）という問題がある。
上記より、該特許文献１の収納ホルダーは、使用者にとって非常に使いにくいものである。そこで本考案は、これらの問題を解決する日常生活でも簡単に使用できる鞄を提供する。
【課題を解決するための手段】
【０００５】      上記課題を解決するために、第一考案は、取手、箱、蓋で構成され、蓋の両側と箱が接する部分を２本のファスナーで接続し、２本の該ファスナーの上下と接する箱の４点の固定部を補強部で補強し、２本の該ファスナーのスライダーを該取手で接続したことを特徴とする鞄である。【０００６】      また、第二考案は、前記箱の底面に固定台を接続するための挿入部と接続部を備えたことを特徴とする第一考案に記載の鞄である。
【考案の効果】
【０００７】  この考案は、以上詳しく説明したように構成されているので、本考案にかかる鞄は、以下に記載されるような効果を奏する。片手で簡単に蓋を開閉出来る。蓋が箱一面に開く為に、箱の中の小物が確認しやすく、該小物を取り出し易い。さらに、該取手は蓋の開閉と鞄の持ち運びに対する取手の２つの機能を含めているため使いやすい。鞄を車椅子や椅子に固定できるようになった事から、鞄の蓋を開いた状態で小物を取出し、箱の中で作業（財布から小銭を出す。携帯電話を操作する。）が可能である。よって、極めて便利な鞄となった。
【図面の簡単な説明】
【０００８】
【図１】本考案にかかる鞄の外観斜視図である。
【図２】本考案にかかる鞄の使用状態を示す外観斜視図である。
【図３】図１の断面Ａ−Ａ図である。
【図４】本考案にかかる鞄（１）であり、（ａ）は鞄に固定台が挿入される前の状態を示す詳細図である（ｂ）は鞄に固定台を接続した状態を示す詳細図である。（ｃ）は鞄と固定台を直接接続した状態を示す詳細図である。
【図５】本考案にかかる鞄を車椅子の固定台に接続し、鞄を使用した状態を示す外観斜視図である。
【考案を実施するための形態】
【０００９】    考案を実施するための形態について説明する。図１は、本考案にかかる実施形態の鞄（１）の外観斜視図である。図２は該鞄（１）の使用状態を示す外観斜視図である。図３は図１の断面Ａ−Ａ図である。該鞄（１）は、取手（６）、箱（５）、蓋（４）より構成される。図１より、該蓋（４）の両側にファスナー（２）を接続し、該箱（５）の１辺と該蓋（４）の１辺を接続し、該箱（５）の２辺を各々の該ファスナー（２）で接続する。２本の該ファスナー（２）のスライダー（２ａ）に該取手（６）を接続する。また、該ファスナー（２）の上下と接する該箱（５）の４点を固定部（３）とする。図２より、取手（６）の移動のみで、蓋（４）を開閉出来る。このため、片手で簡単に該蓋（４）が開閉出来る。箱（５）の１面を覆っている該蓋（４）が開く為に、該箱（５）の中の小物が確認しやすく、該小物を取り出し易いという特徴を持つ。さらに、該取手（６）は該蓋（４）の開閉と鞄（１）の持ち運びに対する取手の２つの機能を含めているため使いやすい。ただし、ファスナーの通常の使用方法は、スライダーを引っ張る時に該スライダーの進行方向と反対側の先端を固定しなければ、うまく該ファスナーを開閉出来ない。上記より、該箱（５）の素材が強度のない布製であれば、取手（６）を使用した該ファスナー（２）の開閉が困難である。そこで、図３に示すように、固定部（３）の位置に対して補強部（７）を内部に設置する。スライダー（２ａ）を引っ張る力を、該補強部（７）が受けることによって該ファスナー（２）の開閉が片手で可能となる。
【００１０】図４は、本考案にかかる実施形態の鞄（１）を示し、図１の鞄（１）の箱（５）の底面に挿入部（８）と接続部（９）を設置した事を示す詳細図である。図４ａは、鞄（１）に固定台（１０）が挿入される前の状態を示す詳細図である。図４ｂは鞄（１）に固定台（１０）を接続した状態を示す詳細図である。図４ａ、４ｂより、箱（５）の底面に挿入部（８）と接続部（９）を配設する。該挿入部（８）は固定台（１０）の差し込み口に対応している為、該固定台（１０）の横方向を固定する。また、該接続部（９）は脱着可能なものであれば特に部品を限定せず、一例としてバックル（公序良俗違反につき、不掲載）、ナスカン（公序良俗違反につき、不掲載）と円環等で構成することが可能である。該固定台（１０）を接続する前は、該接続部（９）は外れた状態であり、該固定台（１０）を挿入すると該接続部（９）は接続される。該接続部（９）を接続すると、該固定台（１０）の縦方向を固定する。該固定台（１０）と該鞄（１）との接続は片手で可能である。また、図４ｃは、接続部を配設した固定台（１０ａ）を鞄（１）に接続した状態を示す詳細図である。図４ｃより、接続部（９ａ）と固定台（１０ａ）を直接接続しても本課題を解決出来る事はもちろんである。図５は、車椅子（１１）に固定台（１０）を取付けて、鞄（１）を使用した状態を示す外観斜視図である。図５より、鞄（１）を車椅子（１１）や椅子に固定できる事から、鞄（１）の蓋（４）を開いた状態で小物を取出し、箱の中で作業（財布から小銭を出す。携帯電話を操作する。）が可能となった。
【符号の説明】
【００１１】    １      鞄
２      ファスナー
２ａ    スライダー
３      固定部
４      蓋
５      箱
６      取手
７      補強部
８      挿入部
９      接続部
９ａ    接続部
１０    固定台
１０ａ  固定台
１１    車椅子
【図１】
0003190461.tif 000003
【図２】
0003190461.tif 000004
【図３】
0003190461.tif 000005
【図４】
0003190461.tif 000006
【図５】
0003190461.tif 000007
【手続補正書】
【提出日】平成26年2月17日(2014.2.17)
【手続補正１】
【補正対象書類名】明細書
【補正対象項目名】００１０
【補正方法】変更
【補正の内容】
【００１０】図４は、本考案にかかる実施形態の鞄（１）を示し、図１の鞄（１）の箱（５）の底面に挿入部（８）と接続部（９）を設置した事を示す詳細図である。図４ａは、鞄（１）に固定台（１０）が挿入される前の状態を示す詳細図である。図４ｂは鞄（１）に固定台（１０）を接続した状態を示す詳細図である。図４ａ、４ｂより、箱（５）の底面に挿入部（８）と接続部（９）を配設する。該挿入部（８）は固定台（１０）の差し込み口に対応している為、該固定台（１０）の横方向を固定する。また、該接続部（９）は脱着可能なものであれば特に部品を限定せず、一例としてバックル、ナスカンと円環等で構成することが可能である。該固定台（１０）を接続する前は、該接続部（９）は外れた状態であり、該固定台（１０）を挿入すると該接続部（９）は接続される。該接続部（９）を接続すると、該固定台（１０）の縦方向を固定する。該固定台（１０）と該鞄（１）との接続は片手で可能である。また、図４ｃは、接続部を配設した固定台（１０ａ）を鞄（１）に接続した状態を示す詳細図である。図４ｃより、接続部（９ａ）と固定台（１０ａ）を直接接続しても本課題を解決出来る事はもちろんである。図５は、車椅子（１１）に固定台（１０）を取付けて、鞄（１）を使用した状態を示す外観斜視図である。図５より、鞄（１）を車椅子（１１）や椅子に固定できる事から、鞄（１）の蓋（４）を開いた状態で小物を取出し、箱の中で作業（財布から小銭を出す。携帯電話を操作する。）が可能となった。